(57)【要約】【課題】画像切り換え装置を少数の回路で構成し、その回路を用途の変化に応じて無駄なく使い分ける。【解決手段】画像加工部５〜９を制御する制御部４に主操作部２を接続し、主操作部２に副操作部３を接続する。画像加工部５〜９を標準モードか２分割モードかに設定する手段が設けられており、制御部４は、標準モード時には、主操作部２からの指示に応じて画像加工部５〜９を制御し、２分割モード時には、主操作部２からの指示に応じて画像加工部５〜９を制御するとともに副操作部３からの指示に応じて画像加工部内の副回路ブロック５ｄ〜５ｆを制御する。【選択図】図２
2007074713.tif 000002
【特許請求の範囲】
【請求項１】
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための主操作部と、
通信路によって前記主操作部に接続が可能であり、前記画像加工部を操作するための副操作部と
で構成されており、
前記画像加工部は、前記主操作部に専用の主回路ブロックと、前記副操作部によって使用される副回路ブロックとを含んでおり、前記副回路ブロックの少なくとも一部の回路は、前記主操作部によって共用される共通回路であり、
前記画像加工部の使用モードを標準モードか２分割モードかのいずれかに設定するモード設定手段が設けられており、
前記主操作部は、前記標準モード時には、前記副操作部からの指示を前記制御部に転送せず、前記２分割モード時には前記副操作部からの指示を前記制御部に転送し、
前記制御部は、前記標準モード時には、前記主操作部からの指示に応じて前記画像加工部を制御し、前記２分割モード時には、前記主操作部からの指示に応じて前記画像加工部を制御するとともに、前記主操作部によって転送された前記副操作部からの指示に応じて前記副回路ブロックを制御する
ことを特徴とする画像切り換え装置。
【請求項２】
請求項１に記載の画像切り換え装置において、
前記画像加工部は、複数チャンネルの入力映像信号の中から複数の入力バスでそれぞれ映像信号を選択する入力選択部と、前記入力選択部で選択された映像信号にエフェクトを施す画像合成部とを含んでおり、
前記入力選択部は、２本以上の入力バスが、前記主回路ブロックを構成する主入力バスであるとともに、残りの２本以上の入力バスが、前記副回路ブロックを構成する副入力バスであり、前記副入力バスのうちの１本以上の入力バスが、前記共通回路を構成する共通入力バスである
ことを特徴とする画像切り換え装置。
【請求項３】
請求項１に記載の画像切り換え装置において、
前記画像合成部は、前記主入力バス及び前記共通入力バスによって選択された映像信号にエフェクトを施す主画像合成部と、前記副入力バスによって選択された映像信号にエフェクトを施す副画像合成部とを含んでおり、
前記制御部は、前記標準モード時には、前記主操作部からの指示に応じて前記主画像合成部を制御し、前記２分割モード時には、前記主操作部からの指示に応じて前記主画像合成部を制御するとともに、前記主操作部によって転送された前記副操作部からの指示に応じて前記副画像合成部を制御する
ことを特徴とする画像切り換え装置。
【請求項４】
請求項１に記載の画像切り換え装置において、
前記モード設定手段は、前記主操作部に設けられた操作手段であり、前記操作手段によって設定された前記使用モードの情報が、前記主操作部から前記制御部に送信される
ことを特徴とする画像切り換え装置。
【請求項５】
請求項１に記載の画像切り換え装置において、
前記主操作部は、前記共通回路を動作させる操作が前記２分割モード時に行われた場合、前記共通回路を動作させる指示を前記制御部に送信しない
ことを特徴とする画像切り換え装置。
【請求項６】
請求項３に記載の画像切り換え装置において、
前記画像加工部は、前記画像加工部の内部で映像信号を発生する内部信号発生器をさらに含んでおり、
前記主画像合成部は、映像信号にエフェクトを施す際に、現在の映像信号と次の映像信号との間に別の第３の映像信号を挟む機能を有しており、
前記制御部は、前記標準モード時には、前記主操作部からの指示に応じて、前記共通入力バスで選択された映像信号か前記内部信号発生器からの映像信号かのいずれかを前記第３の映像信号として前記主画像合成部に供給させ、前記２分割モード時には、前記内部信号発生器からの映像信号のみを前記第３の映像信号として前記主画像合成部に供給させる
ことを特徴とする画像切り換え装置。
【請求項７】
請求項１に記載の画像切り換え装置において、
前記制御部は、過去の時点での前記画像加工部の設定状態を示す設定状態情報を記憶し、
前記主操作部には、前記過去の時点での設定状態に前記画像加工部を復帰させるための操作手段が設けられており、
前記制御部は、前記２分割モード時には、前記操作手段の操作による前記主操作部からの指示に応じて、前記主回路ブロックの設定状態のみを、前記設定状態情報に基づいて前記過去の時点での設定状態に復帰させる
ことを特徴とする画像切り換え装置。
【請求項８】
請求項３に記載の画像切り換え装置において、
前記画像加工部は、前記主入力バスによって選択された２つの映像信号のうちのいずれを現在の映像信号，次の映像信号として前記主画像合成部に供給するかを選択するとともに、前記副入力バスによって選択された２つの映像信号のうちのいずれを現在の映像信号，次の映像信号として前記副画像合成部に供給するかを選択する合成選択部をさらに含んでおり、
前記制御部は、前記主画像合成部によって現在の映像信号が次の映像信号に完全に入れ替えられたときに、現在の映像信号と次の映像信号とを切り換える処理を、前記主入力バス，前記合成選択部のうちのいずれを制御することによって実行するかを選択する機能と、前記副画像合成部によって現在の映像信号が次の映像信号に完全に入れ替えられたときに、現在の映像信号と次の映像信号とを切り換える処理を、前記副入力バス，前記合成選択部のうちのいずれを制御することによって実行するかを選択する機能とを有しており、
前記主操作部には、前記主画像合成部によって現在の映像信号が次の映像信号に完全に入れ替えられたときに、現在の映像信号と次の映像信号とを切り換える処理を前記入力選択部，前記合成選択部のうちのいずれで実行させるかを選択するための操作手段が設けられており、
前記制御部は、前記操作手段の操作による前記主操作部からの指示に応じて、前記入力選択部の前記主入力バスのみの制御か、前記合成選択部が前記主画像合成部に供給する映像信号のみの選択の制御かのいずれかを行う
ことを特徴とする画像切り換え装置。
【請求項９】
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための操作部と
で構成されており、
前記画像加工部は、前記操作部に専用の主回路ブロックと、前記主回路ブロックとは別の副回路ブロックとを含んでおり、前記副回路ブロックの少なくとも一部の回路は、前記操作部によって共用される共通回路であり、
前記画像加工部の使用モードを標準モードか２分割モードかのいずれかに設定するモード設定手段が設けられており、
前記操作部は、前記共通回路を動作させる操作が前記２分割モード時に行われた場合、前記共通回路を動作させる指示を前記制御部に送信しない
ことを特徴とする画像切り換え装置。
【請求項１０】
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための操作部と
で構成されており、
前記画像加工部は、複数チャンネルの入力映像信号の中から複数の入力バスでそれぞれ映像信号を選択する入力選択部と、前記入力選択部で選択された映像信号にエフェクトを施す画像合成部と、前記画像加工部の内部で映像信号を発生する内部信号発生器とを含んでおり、
前記入力選択部は、前記操作部に専用の２本以上の主入力バスと、前記主入力バスとは別の２本以上の副入力バスとを含んでおり、前記副入力バスの少なくとも１本以上の入力バスは、前記操作部によって共用される共通入力バスであり、
前記画像合成部は、映像信号にエフェクトを施す際に、現在の映像信号と次の映像信号との間に別の第３の映像信号を挟む機能を有しており、
前記画像加工部の使用モードを標準モードか２分割モードかのいずれかに設定するモード設定手段が設けられており、
前記制御部は、前記標準モード時には、前記操作部からの指示に応じて、前記共通入力バスで選択された映像信号か前記内部信号発生器からの映像信号かのいずれかを前記第３の映像信号として前記画像合成部に供給させ、前記２分割モード時には、前記内部信号発生器からの映像信号のみを前記第３の映像信号として前記画像合成部に供給させる
ことを特徴とする画像切り換え装置。
【請求項１１】
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための操作部と
で構成されており、
前記画像加工部は、前記操作部に専用の主回路ブロックと、前記主回路ブロックとは別の副回路ブロックとを含んでおり、前記副回路ブロックの少なくとも一部の回路は、前記操作部によって共用される共通回路であり、
前記画像加工部の使用モードを標準モードか２分割モードかのいずれかに設定するモード設定手段が設けられており、
前記制御部は、過去の時点での前記画像加工部の設定状態を示す設定状態情報を記憶し、
前記操作部には、前記過去の時点での設定状態に前記画像加工部を復帰させるための操作手段が設けられており、
前記制御部は、前記２分割モード時には、前記操作手段の操作による前記操作部からの指示に応じて、前記主回路ブロックの設定状態のみを、前記設定状態情報に基づいて前記過去の時点での設定状態に復帰させる
ことを特徴とする画像切り換え装置。
【請求項１２】
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための操作部と
で構成されており、
前記画像加工部は、複数チャンネルの入力映像信号の中から複数の入力バスでそれぞれ映像信号を選択する入力選択部と、前記入力選択部で選択された映像信号にエフェクトを施す画像合成部と、前記入力選択部で選択された映像信号のうちのいずれを現在の映像信号，次の映像信号として前記画像合成部に供給するかを選択する合成選択部とを含んでおり、
前記入力選択部は、前記操作部に専用の２本以上の主入力バスと、前記主入力バスとは別の２本以上の副入力バスとを含んでおり、前記副入力バスの少なくとも１本以上の入力バスは、前記操作部によって共用される共通入力バスであり、
前記画像合成部は、前記主入力バス及び前記共通入力バスによって選択された映像信号にエフェクトを施す主画像合成部と、前記副入力バスによって選択された映像信号にエフェクトを施す副画像合成部とを含んでおり、
前記画像加工部の使用モードを標準モードか２分割モードかのいずれかに設定するモード設定手段が設けられており、
前記制御部は、前記主画像合成部によって現在の映像信号が次の映像信号に完全に入れ替えられたときに、現在の映像信号と次の映像信号とを切り換える処理を、前記主入力バス，前記合成選択部のうちのいずれを制御することによって実行するかを選択する機能と、前記副画像合成部によって現在の映像信号が次の映像信号に完全に入れ替えられたときに、現在の映像信号と次の映像信号とを切り換える処理を、前記副入力バス，前記合成選択部のうちのいずれを制御することによって実行するかを選択する機能とを有しており、
前記操作部には、前記画像合成部によって現在の映像信号が次の映像信号に完全に入れ替えられたときに、現在の映像信号と次の映像信号とを切り換える処理を前記入力選択部，前記合成選択部のうちのいずれで実行させるかを選択する操作手段が設けられており、
前記制御部は、前記操作手段の操作による前記操作部の指示に応じて、前記入力選択部のうちの前記主入力バスのみの制御か、前記合成選択部が前記主画像合成部に供給する映像信号のみの選択の制御かのいずれかを行う
ことを特徴とする画像切り換え装置。
【請求項１３】
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための主操作部と、
通信路によって前記主操作部に接続が可能であり、前記画像加工部を操作するための副操作部とで構成されており、
前記画像加工部は、前記主操作部に専用の主回路ブロックと、前記副操作部によって使用される副回路ブロックとを含んでおり、前記副回路ブロックの少なくとも一部の回路は、前記主操作部によって共用される共通回路である画像切り換え装置における前記画像加工部の制御方法において、
前記画像加工部の使用モードを標準モードか２分割モードかのいずれかに設定するステップと、
前記主操作部が、前記標準モード時には、前記副操作部からの指示を前記制御部に転送せず、前記２分割モード時には前記副操作部からの指示を前記制御部に転送するステップと、
前記制御部が、前記標準モード時には、前記主操作部からの指示に応じて前記画像加工部を制御し、前記２分割モード時には、前記主操作部からの指示に応じて前記画像加工部を制御するとともに、前記主操作部によって転送された前記副操作部からの指示に応じて前記副回路ブロックを制御するステップと
を有することを特徴とする画像切り換え装置の画像加工部の制御方法。
【発明の詳細な説明】
【技術分野】
【０００１】
本発明は、入力する複数チャンネルの映像信号の中から映像信号を切り換えて出力したり、切り換え時に映像信号にエフェクトを施す画像切り換え装置に関し、特に、用途に応じて回路を無駄なく使用できるようにしたものに関する。
【背景技術】
【０００２】
テレビジョン放送等において映像を編集するために使用される業務用の装置の一つに、画像切り換え装置（スイッチャ）が存在する。画像切り換え装置は、複数チャンネルの入力映像信号（ビデオカメラやＶＴＲ等からの映像信号）の中から映像信号を切り換えて出力したり、切り換え時に映像信号にワイプやミックス等のエフェクトを施す装置である。画像切り換え装置の出力映像信号は、番組送出用の機器や映像記録装置やモニター等に送られる。
【０００３】
映像の編集作業では、映像信号を１チャンネルだけ生成することが必要な場合もあれば、映像信号を同時に複数チャンネル生成することが必要な場合もある。それに対応して、画像切り換え装置にも、様々な用途で使用できる機能が要求される。
【０００４】
従来、こうした機能を有する画像切り換え装置としては、図１に示すように、複数の画像加工部５１（５１ａ〜５１ｄ）を設け、１つの画像加工部５１からの出力映像信号を他の画像加工部５１に入力映像信号として再入力させるようにしたものが提案されていた。各画像加工部５１は、それぞれ入力選択部５２と合成処理部５５とを有している。入力選択部５２は、各入力ライン５３ａ〜５３ｊを入力バス５４ａ〜５４ｃのいずれかに接続するマトリクス状の選択スイッチ群を有しており、入力バス５４ａ〜５４ｃでそれぞれ１チャンネルずつの映像信号を選択できる。入力選択部５２で選択された映像信号は、合成処理部５５でワイプやミックス等のエフェクトを施されて、出力端子Outputから出力されるとともに、他の画像加工部５１に入力ライン５３ｇ〜５３ｊから再入力される（例えば、特許文献１参照）。
【０００５】
この画像切り換え装置では、画像加工部５１の入力選択部５２で入力ライン５３ｇ〜５３ｊ（他の画像加工部５１の出力映像信号）を選択することにより、画像加工部５１を複数段直列に接続した状態で使用して、複数段のエフェクトを施した１チャンネルの映像信号を生成（最終段の画像加工部５１の出力端子Outputから出力）することが可能になる。
【０００６】
また、画像加工部５１の入力選択部５２で入力ライン５３ｇ〜５３ｊを選択しないことにより、それぞれエフェクトを施した複数チャンネルの映像信号を生成（各画像加工部５１の出力端子Outputから出力）することが可能になる。
【０００７】
【特許文献１】特開２００４−１５３４８６号公報（段落番号００４８〜００５４、図２）
【発明の開示】
【発明が解決しようとする課題】
【０００８】
ところで、業務用の画像切り換え装置は非常に高価であり、回路の数や回路間の経路を増やすだけでも価格が大きく上がってしまう。そのため、画像切り換え装置には、様々な用途で使用できる機能が要求されるだけでなく、回路の数を少なくして価格を抑えることも要求される。
【０００９】
しかし、上記特許文献１に記載の画像切り換え装置では、単純なエフェクトを施した映像信号を画像加工部５１の数よりも少ないチャンネル（例えば１または２チャンネル）だけ生成するような場合、一部の画像加工部５１だけが使用され、残りの画像加工部５１は全く使用されない。このように、用途によっては使用されない画像加工部５１を設けなければならないので、価格を抑えることが困難であった。
【００１０】
本発明は、上述の点に鑑み、画像切り換え装置を様々な用途で使用できるだけでなく、画像切り換え装置を少数の回路で構成し、その回路を用途の変化に応じて無駄なく使い分けることができるようにすることを課題とする。
【課題を解決するための手段】
【００１１】
上記課題を解決するために、本発明に係る第１の画像切り換え装置は、入力する複数チャンネルの映像信号の中から映像信号を切り換えて出力する処理と、切り換え時に映像信号にエフェクトを施す処理とを行う画像加工部と、この画像加工部を制御する制御部と、この制御部に通信路で接続されており、この画像加工部を操作するための主操作部と、通信路によってこの主操作部に接続が可能であり、この画像加工部を操作するための副操作部とで構成されており、この画像加工部は、この主操作部に専用の主回路ブロックと、この副操作部によって使用される副回路ブロックとを含んでおり、この副回路ブロックの少なくとも一部の回路は、この主操作部によって共用される共通回路であり、この画像加工部の使用モードを標準モードか２分割モードかのいずれかに設定するモード設定手段が設けられており、この主操作部は、この標準モード時には、この副操作部からの指示をこの制御部に転送せず、この２分割モード時にはこの副操作部からの指示をこの制御部に転送し、この制御部は、この標準モード時には、この主操作部からの指示に応じてこの画像加工部を制御し、この２分割モード時には、この主操作部からの指示に応じてこの画像加工部を制御するとともに、この主操作部によって転送されたこの副操作部からの指示に応じてこの副回路ブロックを制御することを特徴とする。
【００１２】
また、本発明に係る画像切り換え装置の画像加工部の制御方法は、入力する複数チャンネルの映像信号の中から映像信号を切り換えて出力する処理と、切り換え時に映像信号にエフェクトを施す処理とを行う画像加工部と、この画像加工部を制御する制御部と、この制御部に通信路で接続されており、この画像加工部を操作するための主操作部と、通信路によってこの主操作部に接続が可能であり、この画像加工部を操作するための副操作部とで構成されており、この画像加工部は、この主操作部に専用の主回路ブロックと、この副操作部によって使用される副回路ブロックとを含んでおり、この副回路ブロックの少なくとも一部の回路は、この主操作部によって共用される共通回路である画像切り換え装置におけるこの画像加工部の制御方法において、この画像加工部の使用モードを標準モードか２分割モードかのいずれかに設定するステップと、この主操作部が、この標準モード時には、この副操作部からの指示をこの制御部に転送せず、この２分割モード時にはこの副操作部からの指示をこの制御部に転送するステップと、この制御部が、この標準モード時には、この主操作部からの指示に応じてこの画像加工部を制御し、この２分割モード時には、この主操作部からの指示に応じてこの画像加工部を制御するとともに、この主操作部によって転送されたこの副操作部からの指示に応じてこの副回路ブロックを制御するステップとを有することを特徴とする。
【００１３】
上記発明では、画像加工部を制御する制御部に通信路で接続された主操作部と、この主操作部に通信路によって接続可能な副操作部との２つの操作部が設けられる。
【００１４】
画像加工部は、主操作部に専用の主回路ブロックと、副操作部によって使用される副回路ブロックとを含んでおり、副回路ブロックの少なくとも一部の回路は、主操作部によって共用される共通回路になっている。
【００１５】
この画像加工部の使用モードは、標準モードか２分割モードかのいずれかに設定される。標準モード時には  主操作部は、主操作部の操作による指示を制御部に送信するが、副操作部からの指示を制御部に転送しない。そして、制御部が、この主操作部からの指示に応じて画像加工部を制御する。これにより、主操作部によって主回路ブロック及びこの共通回路を動作させて、１チャンネルの映像信号を生成（画像加工部から出力）することができる。
【００１６】
他方、２分割モード時には、主操作部は、主操作部の操作による指示を制御部に送信するとともに、副操作部の操作による副操作部からの指示を制御部に転送する。そして、制御部が、主操作部からの指示に応じて画像加工部を制御するとともに、副操作部からの指示に応じて副回路ブロックを制御する。これにより、主操作部によって主回路ブロックを動作させて１チャンネルの映像信号を生成（画像加工部から出力）させるのと同時に、副操作部によって副回路ブロックを動作させて別の１チャンネルの映像信号を同時に生成（画像加工部から同時に出力）することができる。
【００１７】
このように、同じ画像切り換え装置内の１つの画像加工部内の回路（副回路ブロック中の共通回路）が、主操作部のみによって１チャンネルの映像信号を生成する用途と、主操作部，副操作部のそれぞれによって合計２チャンネルの映像信号を生成する用途とに共用される。
【００１８】
これにより、画像切り換え装置を様々な用途で使用できるだけでなく、画像切り換え装置を少数の回路で構成し、その回路を用途の変化に応じて無駄なく使い分けることができる。
【００１９】
次に、本発明に係る第２の画像切り換え装置は、入力する複数チャンネルの映像信号の中から映像信号を切り換えて出力する処理と、切り換え時に映像信号にエフェクトを施す処理とを行う画像加工部と、この画像加工部を制御する制御部と、この制御部に通信路で接続されており、この画像加工部を操作するための操作部とで構成されており、この画像加工部は、この操作部に専用の主回路ブロックと、この主回路ブロックとは別の副回路ブロックとを含んでおり、この副回路ブロックの少なくとも一部の回路は、この操作部によって共用される共通回路であり、この画像加工部の使用モードを標準モードか２分割モードかのいずれかに設定するモード設定手段が設けられており、この操作部は、この共通回路を動作させる操作がこの２分割モード時に行われた場合、この共通回路を動作させる指示を制御部に送信しないことを特徴とする。
【００２０】
この画像切り換え装置は、前述の本発明に係る第１の画像切り換え装置から副操作部を除き、主操作部に相当する１つの操作部のみを設けたものである。
【００２１】
この画像切り換え装置では、操作部は、共通回路を動作させる操作がこの２分割モード時に行われた場合、この共通回路を動作させる指示を制御部に送信しない。したがって、２分割モード時には、この操作部の操作によっては共通回路は動作しない。
【００２２】
これにより、別の操作装置を新たに接続して２分割モードで使用するときに、共通回路が操作部の操作によって誤動作することを防止できる。
【００２３】
次に、本発明に係る第３の画像切り換え装置は、入力する複数チャンネルの映像信号の中から映像信号を切り換えて出力する処理と、切り換え時に映像信号にエフェクトを施す処理とを行う画像加工部と、この画像加工部を制御する制御部と、この制御部に通信路で接続されており、この画像加工部を操作するための操作部とで構成されており、この画像加工部は、複数チャンネルの入力映像信号の中から複数の入力バスでそれぞれ映像信号を選択する入力選択部と、この入力選択部で選択された映像信号にエフェクトを施す画像合成部と、この画像加工部の内部で映像信号を発生する内部信号発生器とを含んでおり、この入力選択部は、この操作部に専用の２本以上の主入力バスと、この主入力バスとは別の２本以上の副入力バスとを含んでおり、この副入力バスの少なくとも１本以上の入力バスは、この操作部によって共用される共通入力バスであり、この画像合成部は、映像信号にエフェクトを施す際に、現在の映像信号と次の映像信号との間に別の第３の映像信号を挟む機能を有しており、この画像加工部の使用モードを標準モードか２分割モードかのいずれかに設定するモード設定手段が設けられており、この制御部は、この標準モード時には、この操作部からの指示に応じて、この共通入力バスで選択された映像信号かこの内部信号発生器からの映像信号かのいずれかをこの第３の映像信号としてこの画像合成部に供給させ、この２分割モード時には、この内部信号発生器からの映像信号のみをこの第３の映像信号としてこの画像合成部に供給させることを特徴とする。
【００２４】
この画像切り換え装置では、エフェクトを施す際に現在の映像信号と次の映像信号との間に別の第３の映像信号を挟む場合、標準モード時には、共通入力バス（共通回路）からの映像信号か画像加工部の内部で発生した映像信号かのいずれかを、操作部によって選択してこの第３の映像信号として用いることができる。しかし、２分割モード時には、画像加工部の内部で発生した映像信号のみがこの第３の映像信号として用いられる。
【００２５】
これにより、別の操作装置を新たに接続して２分割モードで使用するときに、操作部を操作するオペレータが意図しない映像信号（当該別の操作装置を操作する別のオペレータが選択した映像信号）が第３の映像信号として用いられてしまうことを防止できる。
【００２６】
次に、本発明に係る第４の画像切り換え装置は、入力する複数チャンネルの映像信号の中から映像信号を切り換えて出力する処理と、切り換え時に映像信号にエフェクトを施す処理とを行う画像加工部と、この画像加工部を制御する制御部と、この制御部に通信路で接続されており、この画像加工部を操作するための操作部とで構成されており、この画像加工部は、この操作部に専用の主回路ブロックと、この主回路ブロックとは別の副回路ブロックとを含んでおり、この副回路ブロックの少なくとも一部の回路は、この操作部によって共用される共通回路であり、この画像加工部の使用モードを標準モードか２分割モードかのいずれかに設定するモード設定手段が設けられており、この制御部は、過去の時点でのこの画像加工部の設定状態を示す設定状態情報を記憶し、この操作部には、この過去の時点での設定状態にこの画像加工部を復帰させるための操作手段が設けられており、この制御部は、この２分割モード時には、この操作手段の操作によるこの操作部からの指示に応じて、この主回路ブロックの設定状態のみを、この設定状態情報に基づいてこの過去の時点での設定状態に復帰させることを特徴とする。
【００２７】
この画像切り換え装置では、操作部の操作手段によって画像加工部を過去の時点での設定状態に復帰させる場合、２分割モード時には、主回路ブロックの設定状態のみが復帰し、副回路ブロックの設定状態は復帰しないので、副回路ブロックは現状の設定状態を維持する。
【００２８】
これにより、別の操作装置を新たに接続して２分割モードで使用するときに、当該別の操作装置を操作するオペレータの意図に反して副回路ブロックの設定状態が復帰されてしまうことを防止できる。
【００２９】
次に、本発明に係る第５の画像切り換え装置は、入力する複数チャンネルの映像信号の中から映像信号を切り換えて出力する処理と、切り換え時に映像信号にエフェクトを施す処理とを行う画像加工部と、この画像加工部を制御する制御部と、この制御部に通信路で接続されており、この画像加工部を操作するための操作部とで構成されており、この画像加工部は、複数チャンネルの入力映像信号の中から複数の入力バスでそれぞれ映像信号を選択する入力選択部と、この入力選択部で選択された映像信号にエフェクトを施す画像合成部と、この入力選択部で選択された映像信号のうちのいずれを現在の映像信号，次の映像信号としてこの画像合成部に供給するかを選択する合成選択部とを含んでおり、この入力選択部は、この操作部に専用の２本以上の主入力バスと、この主入力バスとは別の２本以上の副入力バスとを含んでおり、この副入力バスの少なくとも１本以上の入力バスは、この操作部によって共用される共通入力バスであり、この画像合成部は、この主入力バス及び共通入力バスによって選択された映像信号にエフェクトを施す主画像合成部と、この副入力バスによって選択された映像信号にエフェクトを施す副画像合成部とを含んでおり、この画像加工部の使用モードを標準モードか２分割モードかのいずれかに設定するモード設定手段が設けられており、この制御部は、この主画像合成部によって現在の映像信号が次の映像信号に完全に入れ替えられたときに、現在の映像信号と次の映像信号とを切り換える処理を、この主入力バス，合成選択部のうちのいずれを制御することによって実行するかを選択する機能と、この副画像合成部によって現在の映像信号が次の映像信号に完全に入れ替えられたときに、現在の映像信号と次の映像信号とを切り換える処理を、この副入力バス，合成選択部のうちのいずれを制御することによって実行するかを選択する機能とを有しており、この操作部には、この画像合成部によって現在の映像信号が次の映像信号に完全に入れ替えられたときに、現在の映像信号と次の映像信号とを切り換える処理をこの入力選択部，この合成選択部のうちのいずれで実行させるかを選択する操作手段が設けられており、この制御部は、この操作手段の操作によるこの操作部の指示に応じて、この入力選択部のうちのこの主入力バスのみの制御か、この合成選択部がこの主画像合成部に供給する映像信号のみの選択の制御かのいずれかを行うことを特徴とする。
【００３０】
画像加工部で映像信号にエフェクトを施し、現在の映像信号が次の映像信号に完全に入れ替えられると、今度は、入れ替えが完了した当該次の映像信号を、新たな現在の映像信号とするように、現在の映像信号と次の映像信号とを切り換えなければならない。この現在の映像信号と次の映像信号との切り換えの方法としては、入力映像信号を選択する入力選択部のほうで、当該現在の映像信号を選択している入力バスと当該次の映像信号を選択している入力バスとで選択を逆に切り換える方法と、この入力選択部からの出力映像信号を選択して画像合成部に供給する合成選択部のほうで、画像合成部に当該現在の映像信号を供給しているラインと当該次の映像信号を選択しているラインとで選択を逆に切り換える方法との２つの方法がある。前者の方法では、入力選択部の常に同じ入力バスが、現在の映像信号を選択している入力バスとなる。後者の方法では、入力選択部でどの入力バスが現在の映像信号を選択しているかが、交互に切り換わる。
【００３１】
この画像切り換え装置では、操作部の操作手段によって前者の方法が選択されたとき、入力選択部のうちの主入力バスのみで選択が切り換えられ、副入力バスでは選択が切り換わらない。
【００３２】
これにより、別の操作装置を新たに接続して２分割モードで使用するときに、当該別の操作装置を操作する別のオペレータが、副入力バスのうちのどちらの入力バスが現在の映像信号を選択しているのかを把握できなくなくなる事態が防止されるので、当該別の操作装置の操作性を向上させることができる。
【発明の効果】
【００３３】
本発明に係る第１の画像切り換え装置や、本発明に係る画像切り換え装置の画像加工部の制御方法によれば、画像切り換え装置を様々な用途で使用できるだけでなく、画像切り換え装置を少数の回路で構成し、その回路を用途の変化に応じて無駄なく使い分けることができるという効果が得られる。
【００３４】
本発明に係る第２の画像切り換え装置によれば、別の操作装置を新たに接続することにより上記第１の画像切り換え装置と同様の効果が得られ、さらに、２分割モード時に共通回路が誤動作することを防止できるという効果が得られる。
【００３５】
本発明に係る第３の画像切り換え装置によれば、別の操作装置を新たに接続することにより上記第１の画像切り換え装置と同様の効果が得られ、さらに、現在の映像信号と次の映像信号との間に別の第３の映像信号を挟んだワイプを施す場合、オペレータが意図しない映像信号がこの第３の映像信号として用いられてしまうことを防止できるという効果が得られる。
【００３６】
本発明に係る第４の画像切り換え装置によれば、別の操作装置を新たに接続することにより上記第１の画像切り換え装置と同様の効果が得られ、さらに、当該別の操作装置を操作するオペレータの意図に反して副回路ブロックが過去の時点の設定状態に復帰されてしまうことを防止できるという効果が得られる。
【００３７】
本発明に係る第５の画像切り換え装置によれば、別の操作装置を新たに接続することにより上記第１の画像切り換え装置と同様の効果が得られ、さらに、当該別の操作装置を操作するオペレータが、副入力バスのうちのどちらの入力バスが現在の映像信号を選択しているのかを把握できなくなくなる事態を防止して、当該別の操作装置の操作性を向上させることができるという効果が得られる。
【発明を実施するための最良の形態】
【００３８】
以下、本発明を図面を用いて具体的に説明する。図２は、本発明に係る画像切り換え装置（スイッチャ）の全体構成を示す図である。この画像切り換え装置は、スイッチャ本体１と、コントロールパネル２と、リモートコントローラ３とで構成されている。
【００３９】
スイッチャ本体１とコントロールパネル２とは、例えばネットワーク（ＬＡＮ）のような通信路１２で接続されている。
【００４０】
コントロールパネル２は、パラレル入出力を行うためのＧＰＩ（General Purpose Interface）のコネクタと、シリアル通信規格のコネクタとを有しており、リモートコントローラ３もこの２つのコネクタを有している。コントロールパネル２とリモートコントローラ３とは、前者のコネクタ（ＧＰＩ）を用いて通信路１３で接続されるとともに、後者のコネクタを用いて通信路１４で接続されている。
【００４１】
コントロールパネル２は、スイッチャ本体１の近くでスイッチャ本体１を操作する（例えばスイッチャ本体１がテレビジョン放送用の中継車両の中に設置されている場合には、その中継車両の中で操作する）ための操作部であり、請求項１における主操作部に該当する。
【００４２】
リモートコントローラ３は、スイッチャ本体１から離れた場所（例えばスイッチャ本体１がテレビジョン放送用の中継車両の中に設置されている場合には、その中継車両の外）で、コントロールパネル２とは別のオペレータが操作するための操作部であり、請求項における副操作部に該当する。コントロールパネル２だけでスイッチャ本体１を操作する場合には、リモートコントローラ３は、通信路１３及び１４をコネクタから抜くことによってこの画像切り換え装置から取り外すことができる。
【００４３】
スイッチャ本体１内には、制御部４，入力選択部５，主画像合成部６，副画像合成部７，内部信号発生器８及び合成選択部９が設けられている。コントロールパネル２は、制御部４と接続されている。
【００４４】
スイッチャ本体１には、複数チャンネルの映像信号（例えばビデオカメラやＶＴＲ等からの映像信号）が入力ライン１０ａ〜１０ｆから入力される。入力選択部５は、各入力ライン１０ａ〜１０ｆを入力バス５ａ〜５ｆのいずれかに接続するマトリクス状の選択スイッチ群を有しており、入力バス５ａ〜５ｆでそれぞれ１チャンネルずつの映像信号を選択できる。
【００４５】
入力選択部５の入力バス５ａ，５ｂ，５ｃは、コントロールパネル２に専用の主入力バス（主入力バス１，主入力バス２，予備の主入力バス）である。
【００４６】
また、入力選択部５の入力バス５ｄ，５ｅ，５ｆは、リモートコントローラ３によって使用される副入力バス（副入力バス１，副入力バス２，予備の副入力バス）であり、そのうちの入力バス５ｄ（副入力バス１）は、コントロールパネル２によって共用される共通入力バスになっている。
【００４７】
主画像合成部６，副画像合成部７は、それぞれ、合成選択部９から後述のようにして供給される映像信号に、ワイプやミックス等のエフェクトを施す回路である。図３に、このエフェクトの具体例を示す。
【００４８】
図３（ａ）は、ワイプを示す。ワイプとは、画面に表示する映像を、左端の画面のように現在の映像信号（文字「Ａ」の集合で表している）のみを表示した状態から、中央の画面のように徐々に次の映像信号（文字「Ｂ」の集合で表している）に入れ替えていき、最終的に、右端の画面のように全て当該次の映像信号に入れ替える処理である。
【００４９】
図３（ｂ）は、ワイプボーダー（Wipe Border）を示す。ワイプボーダーとは、図３（ａ）に示したようなワイプを行う際に、中央の画面のように、現在の映像信号（文字「Ａ」の集合で表している）と次の映像信号（文字「Ｂ」の集合で表している）との間に、別の第３の映像信号（文字「Ｃ」の集合で表している）を挟む処理である。この第３の映像信号は、ワイプボーダーフィル（Wipe Border  Fill）と呼ばれる。
【００５０】
図３（ｃ）は、ＤＭＥ−ワイプを示す。ＤＭＥ−ワイプとは、現在の映像信号と次の映像信号とを画面内で移動させて入れ替える処理である。図３（ｃ）の例では、左端の画面のように現在の映像信号（文字「Ａ」の集合で表している）のみを表示した状態から、中央の画面のように、次の映像信号（文字「Ｂ」の集合で表している）が画面の左下から出現して右上方向に移動していくのと同時に、現在の映像信号が右上方向に移動して画面の外に出て行き、最終的に、右端の画面のように全て当該次の映像信号に入れ替わっている。現在の映像信号と次の映像信号との間には、別の第３の映像信号（文字「Ｃ」の集合で表している）が挟まれている。この第３の映像信号は、背景信号と呼ばれる。
【００５１】
主画像合成部６，副画像合成部７によってエフェクトを施された映像信号は、それぞれ出力端子１１ａ，１１ｂからスイッチャ本体１の外部に出力される。スイッチャ本体１の出力映像信号は、例えば番組送出用の機器や映像記録装置やモニター等に送られる。
【００５２】
内部信号発生器８は、スイッチャ本体１内部で、例えば青色，赤色といったような単色の映像信号または２色を混合した映像信号を、２チャンネル発生する（主内部発生信号，副内部発生信号として出力する）回路である。
【００５３】
合成選択部９は、主現在出力信号ライン９ａ，主次回出力信号ライン９ｂ，主補完信号ライン９ｃ，副現在出力信号ライン９ｄ，副次回出力信号ライン９ｅ，副補完信号ライン９ｆという６本の出力ラインを有している。
【００５４】
主現在出力信号補完信号ライン９ａは、図３に示したような現在の映像信号を主画像合成部６に供給するためのラインである。主次回出力信号ライン９ｂは、図３に示したような次の映像信号を主画像合成部６に供給するためのラインである。主補完信号ライン９ｃは、図３（ｂ）に示したワイプボーダーフィルや図３（ｃ）に示した背景信号を主画像合成部６に供給するためのラインである。
【００５５】
副現在出力信号ライン９ｄは、副画像合成部７に現在の映像信号を供給するためのラインである。副次回出力信号ライン９ｅは、副画像合成部７に次の映像信号を供給するためのラインである。副補完信号ライン９ｆは、副画像合成部７にワイプボーダーフィルや背景信号を供給するためのラインである。
【００５６】
主現在出力信号ライン９ａ，主次回出力信号ライン９ｂは、それぞれ、入力選択部５の入力バス５ａ（主入力バス１）からの映像信号か入力バス５ｂ（主入力バス２）からの映像信号かのいずれかを選択するための選択スイッチを有している。
【００５７】
主補完信号ライン９ｃは、入力選択部５の入力バス５ｄ（共通入力バスである副入力バス１）からの映像信号か内部信号発生器８からの主内部発生信号かのいずれかを選択するための選択スイッチを有している。
【００５８】
副現在出力信号ライン９ｄ，副次回出力信号ライン９ｅは、それぞれ、入力選択部５の入力バス５ｄ（副入力バス１）からの映像信号か入力バス５ｅ（副入力バス２）からの映像信号かのいずれかを選択するための選択スイッチを有している。
【００５９】
副補完信号ライン９ｆは、内部信号発生器８からの副内部発生信号のみを選択するための選択スイッチを有している。
【００６０】
入力選択部５，主画像合成部６，副画像合成部７，内部信号発生器８及び合成選択部９は、請求項における画像加工部に該当する。制御部４は、これらの各部を制御するマイクロコンピュータであり、請求項における制御部に該当する。
【００６１】
コントロールパネル２の構成の概要を図４に示す。コントロールパネル２には、制御部２１と、操作入力部２２と、表示部２３と、図２の各通信路１２〜１４に対応した通信用のインタフェース２４〜２６とが設けられている。
【００６２】
操作入力部２２には、図２のスイッチャ本体１の設定や操作を行うための各種の操作手段が設けられており、その操作手段の中には次のようなものが含まれている。
(1)入力選択部５の入力バス５ａ，５ｂ，５ｄ（主入力バス１，主入力バス２，共通入力バスである副入力バス１）で映像信号を選択するための操作釦
(2)主画像合成部６でのエフェクトの種類を選択するための操作釦
(3)主画像合成部６でエフェクトを施す際に、現在の映像信号と次の映像信号とを合成する割合やその割合を変化させる速度を手動で調整するためのフェーダー・レバー
(4)スイッチャ本体１の使用モードを標準モードか２分割モードかのいずれかに設定するための「使用モード設定釦」
(5)スイッチャ本体１の現在の設定状態（入力選択部５でどの入力ラインの映像信号を選択するかや、主画像合成部６でどの種類のエフェクトを施すか等）を保存するための「保存釦（Store釦）」
(6)スイッチャ本体１の設定状態を、「保存釦」で保存した過去の任意の時点での設定状態に復帰させる（“スナップショット”と呼ぶ）ための「復帰釦（Recall釦）」
(7)後述するバストグル動作モードをオンかオフかのいずれかに設定するための「バストグル設定釦」
【００６３】
表示部２３は、例えば液晶ディスプレイから成っており、操作に必要な情報や操作状態等が表示される。
【００６４】
制御部２１は、マイクロコンピュータから成っており、操作入力部２２の操作内容に応じた指示を、通信路１２経由でスイッチャ本体１内の制御部４に送信する（但し、入力選択部５の入力バス５ｄ（共通入力バスである副入力バス１）を動作させる操作が行われたときは、後で図５を用いて説明するような処理を行う）。
【００６５】
また、制御部２１は、操作入力部２２の操作内容や、スイッチャ本体１内の制御部４から受信した情報等に応じて表示部２３の表示内容を制御する。さらに、制御部２２は、リモートコントローラ３から通信路１３，１４経由でトリガや指示が送信されると、後で図６を用いて説明するような処理を行う。
【００６６】
リモートコントローラ３にも、図示は省略するが、マイクロコンピュータから成る制御部と、次のような操作手段を含む操作入力部とが設けられている。
(1)スイッチャ本体１内の入力選択部５の入力バス５ｄ，５ｅ（副入力バス１，副入力バス２）で映像信号を選択するための操作釦
(2)スイッチャ本体１内の副画像合成部７でのエフェクトの種類を選択するための操作釦
(3)副画像合成部７でエフェクトを施す際に、現在の映像信号と次の映像信号とを合成する割合やその割合を変化させる速度を手動で調整するためのフェーダー・レバー
(4)後述するバストグル動作モードをオンかオフかのいずれかに設定するための「バストグル設定釦」
【００６７】
リモートコントローラ３内の制御部は、これらの操作入力部の操作に基づき、副画像合成部７を動作させるトリガを通信路１３経由でＧＰＩ信号としてコントロールパネル２内の制御部２１に送信するとともに、その他の指示を通信路１４経由で制御部２１に送信する。
【００６８】
次に、コントロールパネル２の操作入力部２２の「使用モード設定釦」で設定される使用モードに関連してコントロールパネル２内の制御部２１が実行する処理について、図５及び図６を用いて説明する。
【００６９】
コントロールパネル２内の制御部２１は、「使用モード設定釦」による使用モードの設定が標準モードから２分割モードに変化すると、２分割モード移行指示を通信路１２経由でスイッチャ本体１内の制御部４に送信し、他方、「使用モード設定釦」による使用モードの設定が２分割モードから標準モードに変化すると、２分割モード解除指示を通信路１２経由で制御部４に送信する。
【００７０】
また、制御部２１は、入力選択部５の入力バス５ｄ（共通入力バスである副入力バス１）を動作させる操作が操作入力部２２で行われると、図５に示すような処理を実行する。副入力バス１を動作させる操作が行われたことを示す信号を操作入力部２２から受け取ると（ステップＳ１）、「使用モード設定釦」によって設定されている現在のモードが２分割モードであるか否かを判断する（ステップＳ２）。
【００７１】
ノーであれば（標準モードであれば）、その操作に応じて副入力バス１を動作させる指示を、通信路１２経由でスイッチャ本体１内の制御部４に送信する（ステップＳ３）。そして処理を終了する。他方イエスであれば、制御部４に指示を送信することなく、この操作入力部２２からの信号を破棄する（ステップＳ４）。そして処理を終了する。
【００７２】
また、制御部２１は、リモートコントローラ３から通信路１３，１４経由でトリガや指示（以下単に指示と呼ぶ）を受信すると、図６に示すような処理を実行する。リモートコントローラ３から指示を受信すると（ステップＳ１１）、「使用モード設定釦」によって現在設定されているモードが２分割モードであるか否かを判断する（ステップＳ１２）。
【００７３】
イエスであれば、リモートコントローラ３から受信した指示を、リモートコントローラ３の操作による指示である（コントロールパネル２の操作入力部２２の操作による指示ではない）ことを識別できるようにして、通信路１２経由でスイッチャ本体１内の制御部４に転送する（ステップＳ１３）。そして処理を終了する。他方ノーであれば（標準モードであれば）、リモートコントローラ３から受信した指示を、スイッチャ本体１内の制御部４に転送することなく破棄する（ステップＳ１４）。そして処理を終了する。
【００７４】
次に、コントロールパネル２の操作入力部２２の「使用モード設定釦」で設定される使用モードに関連してスイッチャ本体１内の制御部４が実行する処理について、図７〜図１１を用いて説明する。
【００７５】
図７は、スイッチャ本体１内の制御部４が、コントロールパネル２内の制御部２１から前述の２分割モード移行指示を受信したときに実行する処理を示すフローチャートである。制御部２１から２分割モード移行指示を受信すると（ステップＳ２１）、現在の使用モードが２分割モードであることを内部のメモリに記憶する（ステップＳ２２）。続いて、副画像合成部７を使用可能な状態に設定し（ステップＳ２３）、合成選択部９の主補完信号ライン９ｃで内部信号発生器８からの主内部発生信号を選択する（ステップＳ２４）。そして処理を終了する。
【００７６】
図８は、スイッチャ本体１内の制御部４が、コントロールパネル２内の制御部２１から前述の２分割モード解除指示を受信したときに実行する処理を示すフローチャートである。制御部２１から２分割モード解除指示を受信すると（ステップＳ３１）、現在の使用モードが標準モードであることを内部のメモリに記憶する（ステップＳ３２）。そして、副画像合成部７を使用不可能な状態に設定し（ステップＳ３３）、処理を終了する。
【００７７】
図９は、スイッチャ本体１内の制御部４が、主画像合成部６によって図３（ｂ）のワイプボーダーを施している最中に、コントロールパネル２内の制御部２１から、合成選択部９の主補完信号ライン９ｃで入力バス５ｄ（共通入力バスである副入力バス１）からの映像信号を選択する指示を受信したときに実行する処理を示す。制御部２１からこの指示を受信すると（ステップＳ４１）、現在の使用モード（図７のステップＳ２２や図８のステップＳ３２で記憶したモード）が２分割モードであるか否かを判断する（ステップＳ４２）。
【００７８】
イエスであれば、この指示を受け付けず（ステップＳ４３）、そのまま処理を終了する。他方ノーであれば（標準モードであれば）、この指示に応じて、入力バス５ｄからの映像信号を主補完信号ライン９ｃで選択する（ステップＳ４４）。そして処理を終了する。
【００７９】
図１０は、スイッチャ本体１内の制御部４が、コントロールパネル２内の制御部２１から、主画像合成部６によって映像信号に施すエフェクトの種類として図３（ｃ）のＤＭＥ−ワイプを選択する指示を受信したときに実行する処理を示す。制御部２１からこの指示を受信すると（ステップＳ５１）、現在の使用モードが２分割モードであるか否かを判断する（ステップＳ５２）。
【００８０】
イエスであれば、コントロールパネル２内の制御部２１から受信している主補完信号ライン９ｃの動作の指示とは無関係に、合成選択部９の主補完信号ライン９ｃで、内部信号発生器８からの主内部発生信号を選択する（ステップＳ５３）。そして、主画像合成部６によってＤＭＥ−ワイプを開始し（ステップＳ５５）、処理を終了する。
【００８１】
他方ノーであれば（標準モードであれば）、コントロールパネル２内の制御部２１から受信している主補完信号ライン９ｃの動作の指示に応じて、副入力バス１からの映像信号か主内部発生信号かのいずれかを主補完信号ライン９ｃで選択する（ステップＳ５４）。そしてステップＳ５５に進む。
【００８２】
図１１は、スイッチャ本体１内の制御部４が、コントロールパネル２内の操作入力部２２の操作による入力選択部５，主画像合成部６，合成選択部９の動作の指示（ただし、図９及び図１０に示した指示を除く）や、リモートコントローラ３の操作による入力選択部５，副画像合成部７，合成選択部９の動作の指示（コントロールパネル２によって転送された指示）を受信したときに実行する処理を示す。
【００８３】
制御部２１からこれらのうちのいずれかの指示を受信すると（ステップＳ６１）、受信した指示が、リモートコントローラ３の操作による指示であるか否かを判断する（ステップＳ６２）。
【００８４】
ノーであれば（コントロールパネル２の操作入力部２２の操作による指示であれば）、その指示に応じて、指示の対象の回路（入力選択部５の入力バス５ａ，５ｂ，５ｄ（主入力バス１，主入力バス２，副入力バス１）か、主画像合成部６か、合成選択部９の主現在出力信号ライン９ａ，主次回出力信号ライン９ｂ）を動作させる（ステップＳ６３）。そして処理を終了する。
【００８５】
ステップＳ６２でイエスであれば、現在の使用モードが２分割モードであるか否かを判断する（ステップＳ６４）。ノーであれば（標準モード）であれば、スイッチャ１内の回路を動作させることなく、そのまま処理を終了する。他方イエスであれば、指示の対象の回路が副画像合成部７であるか否かを判断する（ステップＳ６５）。
【００８６】
イエスであれば、その指示に応じて、合成選択部９から副画像合成部７に供給される映像信号に副画像合成部７でエフェクトを施す（ステップＳ６６）。そして処理を終了する。
【００８７】
ステップＳ６５でノーであれば、指示の対象の回路が入力選択部５であるか否かを判断する（ステップＳ６７）。イエスであれば、その指示に応じて、入力選択部５の入力バス５ｄ，５ｅ（副入力バス１，副入力バス２）で選択する映像信号を切り換える（ステップＳ６８）。そして処理を終了する。
【００８８】
ステップＳ６７でノーであれば、指示の対象の回路が合成選択部９であるか否かを判断する（ステップＳ６９）。イエスであれば、その指示に応じて、合成選択部９の副現在出力信号ライン９ｄ，副次回出力信号ライン９ｅ，副補完信号ライン９ｆで映像信号を選択する（ステップＳ７０）。そして処理を終了する。他方ノーであれば、スイッチャ１内の回路を動作させることなく、そのまま処理を終了する。
【００８９】
次に、スイッチャ本体１内の制御部４が、コントロールパネル２から操作入力部２２の「復帰釦」（スナップショット用の操作釦）の操作による指示を受信したときに実行する処理について、図１２を用いて説明する。
【００９０】
スイッチャ本体１内の制御部４は、操作入力部２２の「保存釦」が操作される毎に、その操作時点でのスイッチャ本体１の設定状態（入力選択部５の各入力バスでどの入力ラインの映像信号を選択しているかや、主画像合成部６，副画像合成部７でどの種類のエフェクトを施しているかや、合成選択部９の各出力ラインで入力選択部５のどの入力バスからの映像信号を選択しているか等）を示す設定状態情報を、内部のレジスタに記憶する。
【００９１】
そして、図１２に示すように、コントロールパネル２から操作入力部２２の「復帰釦」（スナップショット用の操作釦）の操作による指示を受信する（ステップＳ７１）と、現在の使用モードが２分割モードであるか否かを判断する（ステップＳ７２）。イエスであれば、入力選択部５のうちの入力バス５ａ，５ｂ（主入力バス１，主入力バス２），主画像合成部６，合成選択部９のうちの主現在出力信号ライン９ａ，主次回出力信号ライン９ｂ，主補完信号ライン９ｃというコントロールパネル２に専用の回路の設定状態のみを、レジスタに記憶した設定状態情報に基づいて、指定された時点の設定状態に復帰させる（ステップＳ７３）。そして処理を終了する。他方ノーであれば（標準モード）であれば、ステップＳ７３で復帰対象とする回路に加えて、入力バス５ｄ（副入力バス１）も、指定された時点の設定状態に復帰させる（ステップＳ７４）。そして処理を終了する。
【００９２】
次に、スイッチャ本体１内の制御部４が、コントロールパネル２の操作入力部２２やリモートコントローラ３の「バストグル設定釦」で設定されるバストグル動作モードに関連して実行する処理について、図１３を用いて説明する。
【００９３】
コントロールパネル２の操作入力部２２のフェーダー・レバーによって主画像合成部６でエフェクトを施したり、リモートコントローラ３のフェーダー・レバーによって副画像合成部７でエフェクトを施す際に、図３に示したような現在の映像信号と次の映像信号との入れ替わりの進行状態は、フェーダー・レバーの振り幅に比例する。
【００９４】
コントロールパネル２内の制御部２１は、このフェーダー・レバーの操作による指示として、フェーダー・レバーの振り幅が変化する毎に、現在の振り幅を示すフェーダー値をスイッチャ本体１内の制御部４に送信する。
【００９５】
リモートコントローラ３内の制御部も、このフェーダー・レバーの振り幅が変化する毎に、現在の振り幅を示すフェーダー値をコントロールパネル２内の制御部２１に送信する（２分割モード時には、図６に示した処理によってこのフェーダー値がスイッチャ本体１内の制御部４に転送される）。
【００９６】
スイッチャ本体１内の制御部４は、このフェーダー値に応じて、主画像合成部６や副画像合成部７で現在の映像信号と次の映像信号とを合成する。そして、フェーダー値が最大値に到達したとき、すなわちフェーダー・レバーが完全に振り切られたときに、図３（ａ）〜（ｃ）の右端の画面のように、現在の映像信号が次の映像信号に完全に入れ替えられる。
【００９７】
このようにして現在の映像信号が次の映像信号に完全に入れ替えられると、今度は、入れ替えが完了した当該次の映像信号を、新たな現在の映像信号とするように、現在の映像信号と次の映像信号とを切り換えなければならない。この現在の映像信号と次の映像信号との切り換えの方法としては、次の２つの方法がある。
【００９８】
(1)入力選択部５のほうで、入力バス５ａ（主入力バス１），入力バス５ｂ（主入力バス２）で選択している映像信号を今度はそれぞれ入力バス５ｂ（主入力バス２），入力バス５ａ（主入力バス１）のほうで選択するように、主入力バス１，主入力バス２で選択している映像信号を互いに入れ替える。（入力バス５ａ，５ｂについて説明したが、入力バス５ｄ，５ｅ（副入力バス１，２）についても同様である。）
【００９９】
(2)合成選択部９のほうで、主現在出力信号ライン９ａ，主次回出力信号ライン９ｂで選択している映像信号を今度はそれぞれ主次回出力信号ライン９ｂ，主現在出力信号ライン９ａのほうで選択するように、主現在出力信号ライン９ａ，主次回出力信号ライン９ｂで選択している映像信号を互いに入れ替える。（主現在出力信号ライン９ａ，主次回出力信号ライン９ｂについて説明したが、副現在出力信号ライン９ｄ，副次回出力信号ライン９ｅについても同様である。）
【０１００】
上記(1)の方法では、主入力バス１，主入力バス２のうちの常に同じ入力バスが、現在の映像信号を選択している入力バスとなる。また、副入力バス１，副入力バス２のうちの常に同じ入力バスが、現在の映像信号を選択している入力バスとなる。
【０１０１】
上記(2)の方法では、主入力バス１，主入力バス２のうちのどの入力バスが現在の映像信号を選択しているかが交互に切り換わる。また、副入力バス１，副入力バス２のうちのどの入力バスが現在の映像信号を選択しているかが交互に切り換わる。
【０１０２】
「バストグル設定釦」は、上記(1)，(2)のうちのいずれの方法を採るかを任意に設定するための操作釦であり、バストグル動作モードをオンに設定すると上記(1)の方法を選択したことになり、バストグル動作モードをオフに設定すると上記(2)の方法を選択したことになる。
【０１０３】
コントロールパネル２内の制御部２１は、操作入力部２２に設けられた「バストグル設定釦」によるバストグル動作モードの設定が変化する毎に、現在のバストグル動作モードがオンであるかオフであるかを示すバストグル動作モード情報を、スイッチャ本体１内の制御部４に送信する。
【０１０４】
リモートコントローラ３内の制御部も、リモートコントローラ３の操作入力部に設けられた「バストグル設定釦」によるバストグル動作モードの設定が変化する毎に、現在のバストグル動作モードがオンであるかオフであるかを示すバストグル動作モード情報を、コントロールパネル２内の制御部２１に送信する（２分割モード時には、図６に示した処理によってこの情報がスイッチャ本体１内の制御部４に転送される）。
【０１０５】
スイッチャ本体１内の制御部４は、コントロールパネル２のほうから送信されるバストグル動作モード情報と、リモートコントローラ３のほうから送信される（コントロールパネル２によって転送される）最新のバストグル動作モード情報とを、内部のメモリに別々に記憶する。
【０１０６】
そして、コントロールパネル２の操作入力部２２のフェーダー・レバーの操作によるフェーダー値を受信する毎に、スイッチャ本体１内の制御部４は、図１３に示すような処理を実行する。操作入力部２２のフェーダー・レバーの操作によるフェーダー値を受信すると（ステップＳ８１）、受信したフェーダー値が最大値であるか否か（フェーダー・レバーが完全に振り切られたか否か）を判断する（ステップＳ８２）。
【０１０７】
ノーであれば、そのフェーダー値が示す割合に応じて、主画像合成部６で現在の映像信号と次の映像信号とを合成する（ステップＳ８３）。そして処理を終了する。
【０１０８】
ステップＳ８２でイエスであれば、コントロールパネル２のほうから送信されて内部のメモリに記憶した最新のバストグル動作モード情報に基づき、現在のバストグル動作モードがオンであるか否かを判断する（ステップＳ８４）。
【０１０９】
イエスであれば、上記方法(1)として説明したように、入力選択部５の入力バス５ａ（主入力バス１），入力バス５ｂ（主入力バス２）で選択している映像信号を互いに入れ替える（ステップＳ８５）。そして処理を終了する。
【０１１０】
ステップＳ８４でノーあれば、上記方法(2)として説明したように、合成選択部９の主現在出力信号ライン９ａ，主次回出力信号ライン９ｂで選択している映像信号を互いに入れ替える（ステップＳ８６）。そして処理を終了する。
【０１１１】
なお、リモートコントローラ３のフェーダー・レバーの操作によるフェーダー値を受信したときには、スイッチャ本体１内の制御部４は、ステップＳ８３の部分での制御対象を副画像合成部７に置き換え、ステップＳ８４の部分での判断対象をリモートコントローラ３からのバストグル動作モード情報に置き換え、ステップＳ８５の部分での制御対象を入力バス５ｄ，５ｅ（副入力バス１，２）に置き換え、ステップＳ８６の部分での制御対象を副現在出力信号ライン９ｄ，副次回出力信号ライン９ｅに置き換えて、図１３に示したのと同様な処理を実行する。
【０１１２】
次に、この画像切り換え装置において、コントロールパネル２やリモートコントローラ３によってスイッチャ本体１を操作する様子について説明する。
【０１１３】
コントロールパネル２を操作するオペレータが、操作入力部２２の「使用モード設定釦」によってスイッチャ本体１の使用モードを標準モードに設定すると、コントロールパネル２の制御部２１は、操作入力部２２の操作による指示をスイッチャ本体１内の制御部４に送信するが、リモートコントローラ３からの指示を制御部４に転送しない（図６のステップＳ１４）。
【０１１４】
そして、制御部４が、このコントロールパネル２からの指示に応じて、入力選択部５の入力バス５ａ，５ｂ，５ｄ（主入力バス１，主入力バス２，副入力バス１）や、主画像合成部６や、合成選択部９の主現在出力信号ライン９ａ，主次回出力信号ライン９ｂ，主補完信号ライン９ｃを制御する（図１１のステップＳ６３、但し主補完信号ライン９ｃについては図９のステップＳ４４及び図１０のステップＳ５４）。
【０１１５】
したがって、コントロールパネル２により、主入力バス１，主入力バス２及び副入力バス１（共通入力バス）で映像信号を選択し、副入力バス１で選択した映像信号を主補完信号ライン９ｃで選択して、主画像合成部６でエフェクトを施すことができる。したがって、主入力バス１，主入力バス２で選択した映像信号に、副入力バス１で選択した映像信号をワイプボーダーフィルや背景信号として用いて、図３（ｂ）に示したワイプボーダーや図３（ｃ）に示したＤＭＥ−ワイプといったエフェクトを施すことができる。そして、このようにしてエフェクトを施した映像信号が、スイッチャ本体１の出力端子１１ａから出力される。
【０１１６】
他方、操作入力部２２の「使用モード設定釦」によってスイッチャ本体１の使用モードを２分割モードに設定すると、コントロールパネル２は、操作入力部２２の操作による指示をスイッチャ本体１内の制御部４に送信するとともに、リモートコントローラ３からの指示を制御部４に転送する（図６のステップＳ１３）。
【０１１７】
そして、制御部４が、コントロールパネル２からの指示に応じて入力選択部５や主画像合成部６や合成選択部９を制御する（図１１のステップＳ６３）とともに、リモートコントローラ３からの指示に応じて入力選択部５の入力バス５ｄ，５ｅ（副入力バス１，副入力バス２）や副画像合成部７や合成選択部９の副現在出力信号ライン９ｄ，副次回出力信号ライン９ｅ，副補完信号ライン９ｆを制御する（図１１のステップＳ６５〜Ｓ７０）。
【０１１８】
したがって、コントロールパネル２によって主入力バス１，主入力バス２で映像信号を選択してそれらの映像信号に主画像合成部６でエフェクトを施すのと同時に、リモートコントローラ３を操作する別のオペレータが、副入力バス１，副入力バス２で映像信号を選択して、それらの映像信号に副画像合成部７でエフェクトを施すことができる。そして、主画像合成部６でエフェクトを施した映像信号を出力端子１１ａから出力するのと同時に、副画像合成部７でエフェクトを施した映像信号を出力端子１１ｂから出力することができる。
【０１１９】
このように、同じスイッチャ本体１の１つの入力選択部５内の回路である副入力バス１が、コントロールパネル２のみによって１チャンネルの映像信号を生成する用途と、コントロールパネル２，リモートコントローラ３のそれぞれによって合計２チャンネルの映像信号を生成する用途とに共用される。
【０１２０】
これにより、画像切り換え装置を様々な用途で使用できるだけでなく、画像切り換え装置を少数の回路で構成し、その回路を用途の変化に応じて無駄なく使い分けることができる。
【０１２１】
そして、コントロールパネル２の制御部２１は、共通入力バスである副入力バス１を動作させる操作が２分割モード時に操作入力部２２で行われた場合、副入力バス１を動作させる指示をスイッチャ本体１内の制御部４に送信しない（図５のステップＳ４）。したがって、２分割モード時には、コントロールパネル２の操作によっては副入力バス１は動作しない。
【０１２２】
これにより、リモートコントローラ３の操作によって副入力バス１を動作させるモードである２分割モード時に、副入力バス１がコントロールパネル２の操作によって誤動作することを防止できる。
【０１２３】
また、標準モード時には、副入力バス１で選択した映像信号か内部信号発生器８からの主内部発生信号かのいずれかを、コントロールパネル２の操作によって選択して、主画像合成部６でワイプボーダーやＤＭＥ−ワイプを施す際のワイプボーダーフィルや背景信号として用いることができるが、２分割モード時には、内部信号発生器８からの主内部発生信号のみがこのワイプボーダーフィルや背景信号として用いられる（図７のステップＳ２３，図９のステップＳ４３，図１０のステップＳ５３）。
【０１２４】
これにより、２分割モード時に、コントロールパネル２を操作するオペレータが意図しない映像信号（リモートコントローラ３を操作する別のオペレータが選択した映像信号）がワイプボーダーフィルや背景信号として用いられてしまうことを防止できる。
【０１２５】
また、コントロールパネル２の操作入力部２２の「復帰釦」（スナップショット用の操作釦）によってスイッチャ本体１を過去の時点での設定状態に復帰させる場合、２分割モード時には、入力選択部５の入力バス５ａ，５ｂ（主入力バス１，主入力バス２），主画像合成部６，合成選択部９の主現在出力信号ライン９ａ，主次回出力信号ライン９ｂ，主補完信号ライン９ｃというコントロールパネル２に専用の回路の設定状態のみが復帰する（図１２のステップＳ７３）。したがって、リモートコントローラ３によって使用される回路である入力選択部５の入力バス５ｄ，５ｅ（副入力バス１，副入力バス２）や副画像合成部７や合成選択部９の副現在出力信号ライン９ｄ，副次回出力信号ライン９ｅ，副補完信号ライン９ｆの設定状態は復帰しないので、これらの回路は現状の設定状態を維持する。
【０１２６】
これにより、リモートコントローラ３を操作するオペレータの意図に反して副入力バス１，副入力バス２や副画像合成部７や副現在出力信号ライン９ｄ，副次回出力信号ライン９ｅ，副補完信号ライン９ｆの設定状態が復帰されてしまうことを防止できる。
【０１２７】
また、バストグル動作モードの設定（フェーダー・レバーが完全に振り切られたときに、現在の映像信号と次の映像信号との切り換えを入力選択部５と合成選択部９とのうちのどちらで行うかの設定）を、コントロールパネル２の操作入力部２２の「「バストグル設定釦」とリモートコントローラ３の操作入力部の「バストグル設定釦」とでそれぞれ行うことができる。
【０１２８】
そして、コントロールパネル２で設定したバストグル動作モードによっては主入力バス１，主入力バス２，主現在出力信号ライン９ａ，主次回出力信号ライン９ｂのみが制御され（図１３のステップＳ８４〜Ｓ８６）、リモートコントローラ３で設定したバストグル動作モードによっては副入力バス１，副入力バス２，副現在出力信号ライン９ｄ，副次回出力信号ライン９ｅのみが制御される。
【０１２９】
したがって、２分割モード時に、リモートコントローラ３のオペレータが、コントロールパネル２のオペレータの操作によって副入力バス１，副入力バス２のうちのどちらの入力バスが現在の映像信号を選択しているのかを把握できなくなくなる事態を防止できる。同様に、コントロールパネル２のオペレータが、リモートコントローラ３のオペレータの操作によって主入力バス１，主入力バス２のうちのどちらの入力バスが現在の映像信号を選択しているのかを把握できなくなくなる事態を防止できる。これにより、２分割モード時のコントロールパネル２の操作性とリモートコントローラ３の操作性との両方を向上させることができる。
【０１３０】
なお、以上の例では、図５に示したように、コントロールパネル２は、２分割モード時に副入力バス１を動作させる操作が操作入力部２２で行われた場合、その操作に応じた指示をスイッチャ本体１に送信しないようにしている。しかし、別の例として、２分割モード時に副入力バス１を動作させる操作が操作入力部２２で行われた場合にもその操作に応じた指示をスイッチャ本体１に送信し、２分割モード時にはスイッチャ本体１内の制御部４のほうでこの指示を無視する（コントロールパネル２からの指示によっては副入力バス１を動作させず、リモートコントローラ３からの指示のみによって副入力バス１を動作させる）ようにしてもよい。
【０１３１】
また、以上の例では、図６に示したように、標準モード時には、コントロールパネル２がリモートコントローラ３からの指示をスイッチャ本体１に転送することなく破棄している。しかし、別の例として、標準モード時にもコントロールパネル２がリモートコントローラ３からの指示をスイッチャ本体１に転送し、標準モード時にはスイッチャ本体１内の制御部４のほうでリモートコントローラ３からの指示を無視する（リモートコントローラ３からの指示によってはスイッチャ１内の回路を動作させない）ようにしてもよい。
【０１３２】
また、以上の例では、コントロールパネル２とリモートコントローラ３との両方にフェーダー・レバー及び「バストグル設定釦」を設けている。しかし、別の例として、リモートコントローラ３のほうには、フェーダー・レバー及び「バストグル設定釦」を設けず、エフェクトを施す際に現在の映像信号と次の映像信号とを合成する割合を自動的に一定速度で変化させる操作釦を設けるようにしてもよい。
【０１３３】
それにより、リモートコントローラ３をより一層小型化することができる。また、そのようにした場合にも、やはり、コントロールパネル２で設定したバストグル動作モードによっては主入力バス１，主入力バス２，主現在出力信号ライン９ａ，主次回出力信号ライン９ｂのみが制御される（図１３のステップＳ８４〜Ｓ８６）ので、リモートコントローラ３のオペレータが、コントロールパネル２のオペレータの操作によって副入力バス１，副入力バス２のうちのどちらの入力バスが現在の映像信号を選択しているのかを把握できなくなくなる事態を防止できる。
【０１３４】
また、以上の例では副入力バス１のみをコントロールパネル２によって共用される共通入力バスとしているが、副入力バス１と副入力バス２との両方を共通入力バスとしてもよい。
【０１３５】
また、図２に示した入力選択部５の入力バスや映像信号入力ラインの数はあくまで一例であり、これとは異なる本数の入力バスや映像信号入力ラインを有する画像切り換え装置にも本発明を適用してよいことはもちろんである。
【図面の簡単な説明】
【０１３６】
【図１】従来の画像切り換え装置の構成例を示す図である。
【図２】本発明に係る画像切り換え装置の全体構成を示す図である。
【図３】主画像合成部，副画像合成部が施すエフェクトの具体例を示す図である。
【図４】コントロールパネルの構成の概要を示す図である。
【図５】コントロールパネル内の制御部が、副入力バス１の操作時に実行する処理を示すフローチャートである。
【図６】コントロールパネル内の制御部が、リモートコントローラからの指示の受信時に実行する処理を示すフローチャートである。
【図７】スイッチャ本体内の制御部が、２分割モード移行指示の受信時に実行する処理を示すフローチャートである。
【図８】スイッチャ本体内の制御部が、２分割モード解除指示の受信時に実行する処理を示すフローチャートである。
【図９】スイッチャ本体内の制御部が、ワイプボーダー中に主補完信号ラインで共通入力バスからの映像信号を選択する指示を受信したときに実行する処理を示すフローチャートである。
【図１０】スイッチャ本体内の制御部が、ＤＭＥ−ワイプの指示の受信時に実行する処理を示すフローチャートである。
【図１１】スイッチャ本体内の制御部が、入力選択部，主画像合成部，合成選択部９の動作の指示の受信時に実行する処理を示すフローチャートである。
【図１２】スイッチャ本体内の制御部が、復帰指示の受信時に実行する処理を示すフローチャートである。
【図１３】スイッチャ本体内の制御部が、コントロールパネルのフェーダー・レバーの操作によるフェーダー値の受信時に実行する処理を示すフローチャートである。
【符号の説明】
【０１３７】
１  スイッチャ本体、  ２  コントロールパネル、  ３  リモートコントローラ、  ４  制御部、  ５  入力選択部、  ５ａ  主入力バス１、  ５ｂ  主入力バス２、  ５ｃ  予備主入力バス、  ５ｄ  副入力バス１、  ５ｅ  副入力バス２、  ５ｆ  予備副入力バス、  ６  主画像合成部、  ７  副画像合成部、  ８  内部信号発生器、  ９  合成選択部、  １０ａ〜１０ｆ  入力ライン、  １１ａ，１１ｂ  出力端子、  １２〜１４  通信路、  ２１  制御部、  ２２  操作入力部、  ２３  表示部
【図１】
2007074713.tif 000003
【図２】
2007074713.tif 000004
【図３】
2007074713.tif 000005
【図４】
2007074713.tif 000006
【図５】
2007074713.tif 000007
【図６】
2007074713.tif 000008
【図７】
2007074713.tif 000009
【図８】
2007074713.tif 000010
【図９】
2007074713.tif 000011
【図１０】
2007074713.tif 000012
【図１１】
2007074713.tif 000013
【図１２】
2007074713.tif 000014
【図１３】
2007074713.tif 000015